(57)【特許請求の範囲】
【請求項１】
側部ストッパと、枚葉紙搬送方向に対して横方向に移動可能な複数の吸引開口を備える吸引ノズルとを有する、枚葉紙処理機械の紙差し板上において枚葉紙の側部を揃える装置において、
前記吸引ノズル(２７)の前記吸引開口(３８)が、枚葉紙搬送方向(B)に配置された吸引開口(３８)の数が横方向(A)に側部ストッパ(２８)に向かって多くなるように分散配置されていることを特徴とする枚葉紙側部整列装置。
【請求項２】
前記吸引開口(３８)が吸引孔として構成されている、請求項１に記載の装置。
【請求項３】
前記吸引開口(３８)は、前記紙差し板(９)の中央寄りの部分よりも前記側部ストッパ(２８)の方向に、より大きい直径(D)を備えている、請求項２に記載の装置。
【請求項４】
前記吸引開口(３８)の配置が三角形状である、請求項２または３に記載の装置。
【請求項５】
前記吸引開口(３８)の配置が半円形状である、請求項２または３に記載の装置。
【請求項６】
前記吸引開口(３８)は横方向(A)に２つに分割された吸引チャンバ(４３,４４)によって負圧が供給され、前記吸引チャンバ(４４)は遮断可能に構成されている、請求項１から５のいずれか１項に記載の装置。
【請求項７】
前記吸引開口(３８)は横方向(A)に無段式に操作可能なスライダ(４６)によって閉じることができる、請求項１から６のいずれか１項に記載の装置。
【請求項８】
前記側部ストッパ(２８)が前記枚葉紙の側部縁の方向に斜面(４２)を備えている、請求項１から７のいずれか１項に記載の装置。
【請求項９】
前記斜面(４２)の仮想的延長部が前記紙差し板(９)の搬送平面に対して鋭角(α)をなす、請求項８に記載の枚葉紙側部整列装置。
【請求項１０】
前記側部ストッパ(２８)が前記枚葉紙搬送方向に向けられた滑り斜面(４９)を備えている、請求項１から９のいずれか１項に記載の装置
【請求項１１】
前記滑り斜面(４９)が枚葉紙案内平面(５０)に対して鋭角(β)をなす、請求項１０に記載の装置。
【請求項１２】
前記滑り斜面(４９)が枚葉紙案内平面(５０)の下方にまで形成されている、請求項１０または１１に記載の装置。
【発明の詳細な説明】
【０００１】
【発明の属する技術分野】
本発明は特に枚葉紙処理機械の給紙装置における、枚葉紙の側部を揃える装置に関する。
【０００２】
【従来の技術】
例えば印刷機のような枚葉紙処理機械に枚葉紙を揃えた状態で供給するためには、いわゆる前当てでこの枚葉紙を周方向に揃え、また、いわゆる側部ストッパで側部を揃えることが必要である。この目的のために、枚葉紙は備えられた搬送手段によって前当てに向かって搬送され、そしていわゆる側部引き寄せ装置によって側部ストッパに引き寄せられる。
【０００３】
【発明が解決しようとする課題】
例えば、枚葉紙を下から吸引ノズルによって、吸引しそしてこの枚葉紙を側部ストッパに向かって搬送する吸引レールを用いることがドイツ特許第９７２４５９号によって知られている。枚葉紙が、側部ストッパに当たる際に上方に逃げることができないようにするために、枚葉紙を紙差し板上に押さえ付ける押え板が備えられている。
【０００４】
しかしながら、この種の押え板は、前部領域が揃えられた枚葉紙が枚葉紙処理機械内を搬送される際にその後部端もこの押え板の下を通って搬送されなければならないという欠点を有している。枚葉紙は最もわずかな枚葉紙傾斜状態または傾斜部分によって側部ストッパもしくは押さえ板で張られることになる。しかし、枚葉紙が張られた状態で印刷ユニット内に引き込まれると、これは給紙装置見当とこの給紙装置に基づくダブリとに好ましくない影響を与える。
【０００５】
本発明の目的は、側部ストッパの領域における押え板を必要としない、枚葉紙の側部を揃える提供することにある。
【０００６】
【課題を解決するための手段】
この目的は、本発明によれば、吸引ノズルの吸引開口が、枚葉紙搬送方向に配置された吸引開口の数が横方向に側部ストッパに向かって多くなるように分散配置されていることによって達成される。
【０００７】
本発明の特に有利な点は、吸引ノズルによって枚葉紙上に作用する吸引力が、吸引開口の横方向の数よりも枚葉紙搬送方向の数の方が多いか、あるいは少なくとも同じであるように吸引孔にわたって分散されることである。これによって、搬送される枚葉紙は全保持力が小さい場合に吸引ノズルによって、特に枚葉紙の縁領域で確実に保持される。この方策によって、枚葉紙は枚葉紙側部縁が側部ストッパに接触するとすぐに吸引ノズルに対して相対運動を行うことができ、このため、この枚葉紙側部縁が損傷することがない。枚葉紙の縁領域の方の吸引力を大きくする、本発明による、吸引力のこのような分配によって、枚葉紙縁が側部ストッパに当たる際にも上方へ逃げることがない。したがって、側部ストッパの領域における押え板が不要となる。
【０００８】
押え板を不要とすることによって、呼び寄せられる枚葉紙が張りを緩めるために側部ストッパ上を滑っていくことができるようになる。有利なことに、側部ストッパに配置された滑り斜面はこの方策を助ける。
【０００９】
さらに、側部ストッパには、枚葉紙搬送方向に向けられ、側部が好ましくない状態で不揃いになって到着する枚葉紙が側部ストッパに引っ掛ったままになるのではなく、側部ストッパの上を滑っていけるようにする他の滑り斜面が備えられている。側部ストッパが、引っ掛かる場所とならないようになるために、滑り斜面は枚葉紙案内平面の下側まで仕上げられている。
【００１０】
【発明の実施の形態】
次に、本発明の実施の形態について図面を参照して説明する。
【００１１】
輪転印刷機、例えば、枚葉紙７を処理する印刷機１は、給紙装置２と少なくとも１つの印刷ユニット３，４と排紙装置６とを備えている。枚葉紙７は、枚葉紙パイル８から取り出され、１枚づつ分離されるか、またはすれ重なって紙差し板９上を経て印刷ユニット３,４に供給される。これらの印刷ユニット３,４は、公知のようにそれぞれ版胴１１,１２を備えている。版胴１１,１２は可撓性の版を固定する固定装置１３,１４をそれぞれ備えている。さらに、各版胴１１,１２には半自動式または全自動式の版交換装置１６,１７が付属している。
【００１２】
枚葉紙パイル８は、制御されて上昇可能なパイル台１０上に置かれている。枚葉紙７の取り出しは、とりわけ枚葉紙７を一枚づつ取り出す複数の持上げ式、横移動式吸引器１９,２１を備えるいわゆる吸引ヘッド１８によって、枚葉紙パイル８の上面側から行われる。それを越えて、上部の枚葉紙の状態を浮いた状態にするための送風装置２２とパイル再調節用の接触部材２３とが備えられている。
枚葉紙パイル８、特に枚葉紙パイル８の上方の枚葉紙７を揃えるために側部および背後の複数のストッパが備えられている。
【００１３】
枚葉紙７は、紙差し板９上を経ていわゆる前当て２６の形態の前部揃え手段に送られ、そして、この前当て２６で周方向に揃えられる。側部引寄せ装置２５は、特に枚葉紙搬送方向に対し横に移動可能な吸引ノズル２７を備えている。
【００１４】
枚葉紙７は、周囲方向に揃えられた後、紙差し板９に配置された吸引ノズル２７によってその前部領域が吸引され、そして、引寄せ溝３０内を左または右の側部ストッパ２８に向かって移動する。吸引ノズル２７のこの動きは、図３による実施形態では軸方向に揃えられたカム３１,３２のカム面と作動状態で接触する制御ローラ２９,３０によって行われる。カム３１,３２は枚葉紙処理機械の動作サイクルで駆動されるカムシャフト３３,３４上にそれぞれ取り付けられている。カムシャフト３３,３４は、共通の回転軸を構成してもよい。
【００１５】
吸引ノズル２７はタイミングを合わせたカムシャフト３３,３４内の例えばカム溝３６,３７を経て吸引接続ラインを介して吸引空気が供給される。
【００１６】
吸引ノズル２７は、枚葉紙７に作用する吸引面Fsが各側部ストッパ２８の方向に大きくなるように、移動可能な引寄せ板３９に分散されて配置された複数の吸引孔３８を備えている。
【００１７】
本発明によると、例えば、枚葉紙搬送方向Bに引寄せ板３９上に配置された同じ大きさの吸引孔３８の数は、横方向Aに引寄せ板３９上に配置された同じ大きさの吸引孔３８の数と同じかまたはこれよりも多い。したがって、引寄せ板３９における同じ大きさの吸引孔３８の数の関係についてB/A≧１が成り立つ。
【００１８】
図６による第２の実施形態の場合、枚葉紙７の縁領域に対する吸引面Fsを、引寄せ板３９における例えば穴直径Dについて紙差し板９の中央寄りの部分よりも側部ストッパ２８寄りの部分を大きくすることによって、大きくすることが提案されている。
【００１９】
図７による第３の実施形態では、引寄せ板３９における同じ大きさの吸引孔３８の数について紙差し板９の中央寄りの部分よりも側部ストッパ２８寄りの部分を多くすることが提案されている。これは、例えば三角形状の引寄せ板３９、または、引寄せ板３９における吸引孔３８を三角形状に分散配置することによって実現してもよい。図８による第４の実施形態の場合、引寄せ板３９における同じ大きさの吸引孔３８のこの配置は半円面に相応しており、この結果、これらの同じ大きさの吸引孔３８の数は紙差し板９の中央寄りの部分よりも側部ストッパ２８寄りの部分の方が多くなっている。
【００２０】
図３による他の実施形態では、枚葉紙搬送方向Bに対して横方向に、すなわち側部引寄せ方向Aに配置された２つの吸引チャンバ４３,４４を有する吸引ノズル２７を備えることが提案されている。被印刷体の強さに応じ、特に厚い枚葉紙を処理する場合、この２つの吸引チャンバ４３,４４を作動状態してもよい。薄い被印刷体を処理する場合には、そのつど側部ストッパ２８のより近くに配置された吸引チャンバ４３だけが作動状態にされ、これによって（全保持力に関し）保持力の配分は枚葉紙の側部領域が最大となる。
【００２１】
図４による他の実施形態の場合、処理される被印刷体の強さに応じ無段式に側部ストッパ２８に向かって移動可能で、吸引孔と吸引チャンバ４３,４３との間にスライダを取り付けることが提案されており、これによって、薄い被印刷体を処理する際には側部領域で枚葉紙７に作用する吸引孔３８だけが作動し、また、厚い被印刷体を処理する際にはこれに相応して複数の吸引孔３８が動作する。スライダ４６はアクチュエータ４７によって移動可能に配置されており、そして、処理される被印刷体の強さに応じ印刷機の制御装置４８によって自動的に調節される。
【００２２】
引寄せ板３９の表面は紙差し板９の平面内にあり、側部引寄せ動作の際に側部ストッパ２８の下方をスライドする。側部ストッパ２８は、枚葉紙案内平面５０に垂直なストッパ面４１を備えている。このストッパ面４１は枚葉紙案内平面から上方に延びてこの場所で、仮想の延長部が枚葉紙案内平面に対し鋭角をなしている斜面４２につながっている。
【００２３】
斜面４２は、枚葉紙が搬送されて離れていく場合、このとき側部ストッパ２８上を越えてスライドしていく枚葉紙の張りを無くすのを助ける。
【００２４】
側部ストッパ２８の他の滑り斜面４９は、枚葉紙搬送方向に対して配置されている。滑り斜面４９は枚葉紙案内平面５０の下方まで達しており、これによって前当てに搬送される枚葉紙が引っ掛かる箇所が形成されることがない。滑り斜面４９は、枚葉紙案内平面５０に対して鋭角βをなす。
【００２５】
滑り斜面４９の目的は、側部がずれて到着する枚葉紙を側部ストッパ２８を越えて滑らせてやることである。この方策によって、最悪の場合には枚葉紙給紙の中断につながることがある、この到着する枚葉紙が側部ストッパ２８に引っ掛かったままになり、これによって枚葉紙案内平面５０上で斜めになることが防止される。
【００２６】
側部にずれて前当てに搬送される枚葉紙を、図示しない到着監視装置によって検出し、例えば、然るべき位置で紙差し板上のパイルにストライプを付し、これによって、不揃いで側部ストッパ２８上を滑っていく枚葉紙を取り除けるようにする信号が排紙装置６に与えられるようになっている。
【図面の簡単な説明】
【図１】枚葉紙輪転印刷機を示す概略断面図である。
【図２】枚葉紙を揃える装置の概略横断面図である。
【図３】分割された吸引チャンバを有する枚葉紙を揃える装置の概略横断面図である。
【図４】スライダを備えた枚葉紙を揃える装置の概略横断面図である。
【図５】吸引ノズルを有する側部ストッパの概略平面図である。
【図６】吸引ノズルの他の構成例を示す概略平面図である。
【図７】吸引ノズルの他の構成例を示す概略平面図である。
【図８】吸引ノズルの他の構成例を示す概略平面図である。
【図９】側部ストッパの斜視図である。
【図１０】側部ストッパを枚葉紙搬送方向にみて切断した断面図である。
【図１１】側部ストッパの縦断面図である。
【図１２】枚葉紙案内平面と左側に配置された側部ストッパとを示す平面図である。
【符号の説明】
１    印刷機
２    給紙装置
３,４    印刷ユニット
６    排紙装置
７    枚葉紙
８    枚葉紙パイル
９    紙差し板
１０    パイル台
１１,１２    版胴
１３,１４    固定装置
１６,１７    版交換装置
１８    吸引ヘッド
１９,２１    持上げ・横移動式吸引器
２２    送風装置
２３    触知部材
２５    側部引寄せ装置
２６    前当て
２７    吸引ノズル
２８    側部ストッパ
２９,３０    制御ローラ
３０    引寄せ溝
３１,３２    カム
３３,３４    カムシャフト
３６,３７    カム溝
３８    吸引孔
３９    引寄せ板
４１    ストッパ面
４２    斜面
４３,４４    吸引チャンバ
４６    スライダ
４７    アクチュエータ
４８    制御装置
４９    滑り斜面
５０    枚葉紙案内平面
A    側部引寄せ方向
B     枚葉紙搬送方向
Fs    吸引面
β    鋭角
【図１】
0004638024.tif 000002
【図２】
0004638024.tif 000003
【図３】
0004638024.tif 000004
【図４】
0004638024.tif 000005
【図５】
0004638024.tif 000006
【図６】
0004638024.tif 000007
【図７】
0004638024.tif 000008
【図８】
0004638024.tif 000009
【図９】
0004638024.tif 000010
【図１０】
0004638024.tif 000011
【図１１】
0004638024.tif 000012
【図１２】
0004638024.tif 000013